(57)【要約】麺を衛生的に調理することができる麺用自動販売機を開示する。麺用自動販売機は、ドアに、放出ドアによって開閉される放出穴を備える。硬貨機およびドアを本体の内側に設置する。麺および香辛料を保持する金属製使い捨て容器を麺貯蔵部の内側で貯蔵する。使い捨て容器は、使い捨て容器供給部によって麺貯蔵部から自動的に放出される。使い捨て容器は、使い捨て容器搬送部によって所定の位置へと移送される。使い捨て容器は、使い捨て容器放出部によって放出ドアを通して本体から自動的に放出される。制御部が上述したように自動販売機の構成要素の動作を制御する。
2005530248.tif 000002
【特許請求の範囲】
【請求項１】
所定の硬貨を硬貨作動式機構に挿入した際に、注文信号を受けて自動的に麺を調理する麺用自動販売機であって、
本体（１０）、その前方開放部分に回転可能に設けられたドア（１３）とその内部に設けられて相互に平行な中央仕切り（１５）および下部仕切り（１６）とを備え、前記ドア（１３）がその一方側を貫通して形成され放出ドア（１２）によって開閉することができる放出穴（１１）を有し、前記中央仕切り（１５）がその一方側を貫通して形成される貫通穴（１４）を有する、と、
前記本体（１０）の内部の上部分に設けられその開放された下部分が前記貫通穴（１４）の上に配置された複数の金属製使い捨て容器（２０）を貯蔵するためのもので、前記金属製使い捨て容器（２０）にはその内に調理すべき麺および仕上げ材料が入れられる、麺貯蔵部材（３０）と、
前記貫通穴（１４）と前記麺貯蔵部材（３０）との間に配置されるように前記中心仕切り（１５）に設けられ、前記麺貯蔵部材（３０）内に装填された前記金属製使い捨て容器（２０）を１つずつ放出するための容器供給部（４０）と、
前記下部仕切り（１６）に設けられ、金属製使い捨て容器（２０）を移送するもので、容器供給部（４０）から放出された前記金属製使い捨て容器（２０）を初期位置（Ａ）から加熱部材（５０）の上面に設定された加熱位置（Ｂ）へと移送し、前記金属製使い捨て容器（２０）に湯を注ぎ、前記加熱部材（５０）を使用して前記金属製使い捨て容器（２０）を直接加熱して麺を調理したのち、前記金属製使い捨て容器（２０）を前記加熱位置（Ｂ）から排出位置（Ｃ）へと移送する、容器搬送部（７０）と、
前記容器搬送部（７０）の動作により排出位置（Ｃ）へと移送されている前記金属製使い捨て容器（２０）を前記放出ドア（１２）の放出穴（１１）を通して外側へと放出するもので、前記容器搬送部（７０）の前部分に設けられる、容器放出部（８０）と、更に、
前記容器供給部（４０）、前記容器搬送部（７０）および前記容器放出部（８０）の動作状態を感知し、また湯供給部（６０）から供給される湯の温度を感知する感知手段によって生成された感知信号を受けることにより、前記容器供給部（４０）、前記容器搬送部（７０）、前記湯供給部（６０）、前記加熱部材（５０）、および前記容器放出部（８０）を制御する制御部（９０）と
を備えることを特徴とする麺用自動販売機。
【請求項２】
前記湯供給部（６０）は前記本体（１０）内に設けられ、当該湯供給部（６０）は、
外部水源から供給された水を貯蔵する貯蔵タンク（６２）と、
前記貯蔵タンク（６２）から導入された水を加熱する加熱タンク（６７）と、
前記貯蔵タンク（６２）と前記加熱タンク（６７）との間に設けられ、前記貯蔵タンク（６２）から前記加熱タンク（６７）への水の導入を制御する第１の弁（６１）と、
前記加熱タンク（６７）内に設けられ、前記貯蔵タンク（６２）から供給される水のレベルを繰り返し感知する複数の水位感知センサ（６３）と、
前記加熱タンク（６７）内に設けられ、前記貯蔵タンク（６２）から供給された水を加熱する湯加熱部材（６４）と、
前記加熱タンク（６７）によって加熱された湯の温度を感知する温度感知センサ（６５）と、更に、
前記制御部（９０）によって制御されるもので、前記湯加熱部材（６４）によって加熱された湯の、前記加熱部材（５０）上に配置された金属製使い捨て容器（２０）への放出を制御する第２の弁（６６）と
を備えることを特徴とする請求項１に記載の麺用自動販売機。
【請求項３】
前記容器供給部（４０）は、
一対の容器支持リンク（４４Ｂ）、一対の接続リンク（４４Ｃ）、往復リンク（４４Ｄ）、および第１の水平案内部材（４４Ｆ）を含むものであって、
容器支持リンク（４４Ｂ）の端部が前記中央仕切り（１５）に設けられた第１のブラケット（４４Ａ）の両側とヒンジで結合され、前記使い捨て容器（２０）の両側が前記容器支持リンク（４４Ｂ）上に配置され、前記接続リンク（４４Ｃ）の端部が前記容器支持リンク（４４Ｂ）にヒンジで接続され、前記接続リンク（４４Ｃ）の他方端が前記往復リンク（４４Ｄ）の両側とヒンジで接続され、かつ、前記往復リンク（４４Ｄ）を水平方向にスライドさせるために前記往復リンク（４４Ｄ）を案内する前記第１の水平案内部材（４４Ｆ）が前記中央仕切り（１５）に設けられる、リンク作動部（４４）と、
第２の接続棒（４６Ａ）、第２の回転プレート（４６Ｂ）および第２の駆動部材（４６Ｄ）を含み、前記リンク作動部（４４）を作動させるもので、前記第２の接続棒（４６Ａ）の一方端が前記往復リンク（４４Ｄ）に結合され、前記第２の接続棒（４６Ａ）の他方端が前記第２の回転プレート（４６Ｂ）に結合されて、その中心が前記第２の回転プレート（４６Ｂ）に対して偏心し、前記第２の回転プレート（４６Ｂ）が第３のブラケット（４６Ｃ）によって前記中央仕切り（１５）に設けられ、かつ、第２の回転プレート（４６Ｂ）を駆動する第２の駆動部材（４６Ｄ）が前記第３のブラケット（４６Ｃ）に設けられて前記制御部（９０）によって制御される、放出部（４６）と、更に、
放出支持ブラケット（４２Ａ）、容器配置部材（４２Ｂ）、第１の接続棒（４２Ｄ）、第１の回転棒（４２Ｅ）、第１の回転プレート（４２Ｆ）、および第１の駆動部材（４２Ｇ）を含むもので、放出支持ブラケット（４２Ａ）は前記貫通穴（１４）の下部分の下に配置されるように前記下部仕切り（１６）に設けられ、前記容器配置部材（４２Ｂ）は前記容器支持リンク（４４Ｂ）の脚部間に生成された空間を通して垂直案内部材（４２Ｃ）によって上下にスライドすることができ、前記垂直案内部材（４２Ｃ）は前記放出支持ブラケット（４２Ａ）内に設けられ、前記第１の接続棒（４２Ｄ）の一方端が容器配置部材（４２Ｂ）と接続されて、前記第１の接続部材（４２Ｄ）の他方端が第１の回転棒（４２Ｅ）の一方端と接続され、かつ、第１の駆動部材（４２Ｇ）が前記下部仕切り（１６）に設けられて前記制御部（９０）によって制御されて前記容器配置部材（４２Ｂ）を垂直方向に運動させるために前記第１の回転プレート（４２Ｆ）を駆動する、容器支持部（４２）と
を備えることを特徴とする請求項１に記載の麺用自動販売機。
【請求項４】
前記容器搬送部（７０）は、
それぞれ一対の第４のブラケット（７２Ａ）とヒンジで結合された下端を有するもので、前記第４のブラケット（７２Ａ）が前記下部仕切り（１６）の上面に設けられて貫通穴（１４）の下部に配置される、一対のリンク部材（７２）と、
開放した一方側と前記リンク部材（７２）の上端にヒンジで結合された下側とを有するもので、前記容器供給部（４０）から移送された前記使い捨て容器（２０）の縁部がその上にぴったり固定されてから支持される、容器支持部材（７４）と、更に、
第３の接続棒（７６Ａ）、第２の回転棒（７６Ｂ）、第３の回転プレート（７６Ｃ）および第３の駆動部材（７６Ｅ）を含むもので、第３の接続棒（７６Ａ）の一方端が前記リンク部材（７２）と結合され、前記第３の接続棒（７６Ａ）の他方端は前記第２の回転棒（７６Ｂ）の一方端と結合され、前記第２の回転棒（７６Ｂ）の他方端が前記第３の回転プレート（７６Ｃ）と結合され、前記第３の駆動部材（７６Ｅ）が前記第５のブラケット（７６Ｄ）によって前記下部仕切り（１６）に設けられ、かつ、前記第３の駆動部材（７６Ｅ）が前記容器支持部材（７４）の水平状態を維持しつつ、前記容器支持部材（７４）を前記初期位置（Ａ）から前記加熱位置（Ｂ）へ、前記加熱位置（Ｂ）から前記放出位置（Ｃ）へ、および前記放出位置（Ｃ）から前記初期位置（Ａ）へと運動させるために前記第２の回転棒（７６Ｂ）を作動させる、容器移送駆動部（７６）と
を備えることを特徴とする請求項１に記載の麺用自動販売機。
【請求項５】
前記容器放出部（８０）は、
第６のブラケット（８２Ａ）の上部分に設けられているもので、前記第６のブラケット（８２Ａ）は前記排出位置（Ｃ）の前記下部分に配置されるように前記下部仕切り（１６）の前部分に設けられる、第２の水平案内部材（８２）と、
前記第２の水平案内部材（８２）の上面に設けられているもので、前記容器搬送部（７０）の動作のために前記排出位置（Ｃ）へと移送される前記金属製使い捨て容器（２０）を固定することができる、容器放出部材（８４）と、
第５の接続棒（８６Ａ）の一方端に回転可能に結合され、他方端は前記容器放出部材（８４）と回転可能に結合された第４の回転プレート（８６）と、更に、
前記第４の回転プレート（８６）を動かし、前記第６のブラケット（８２Ａ）の一方側に設けられて、前記制御部（９０）によって制御されているもので、前記容器放出部材（８４Ａ）が、前記第４の駆動部材（８８）によって駆動された前記第４の回転プレート（８６）の運動により、水平状態を維持しながら前記放出ドア（１２）の前記放出穴（１１）に向かって移動する、第４の駆動部材（８８）と
を備えることを特徴とする請求項１に記載の麺用自動販売機。
【請求項６】
前記垂直案内部材（４２Ｃ）および前記第１の水平案内部材（４４Ｆ）は、それぞれ真円軸受け（ＢＥ）および前記軸受け（ＢＥ）にスライド可能に結合した案内棒（ＲＤ）を備える、ことを特徴とする請求項３に記載の麺用自動販売機。
【請求項７】
前記垂直案内部材（４２Ｃ）および前記第１の水平案内部材（４４Ｆ）は外部ケース（ＯＣＡ）および内部ケース（ＩＣＡ）を備え、前記内部ケース（ＩＣＡ）は前記外部ケース（ＯＣＡ）で受けた複数の軸受けによって長手方向にスライドすることができる、ことを特徴とする請求項３に記載の麺用自動販売機。
【請求項８】
前記第２の水平案内部材（８２）は二対の放出リンク部材（８２Ｂ）を備え、前記放出リンク部材（８２Ｂ）の下端が第６のブラケット（８２Ａ）の両方の上側にヒンジで結合され、かつ、前記放出リンク部材（８２Ｂ）の上端が前記容器放出部材（８４）の両方の下側にヒンジで結合される、ことを特徴とする請求項５に記載の麺用自動販売機。
【請求項９】
前記第２の水平案内部材（８２）は、前記第６のブラケット（８２Ａ）の上面に固定された外部ケース（８２Ｃ）と、前記外部ケース（８２Ｃ）内で受けた複数の玉軸受けによって長手方向にスライドする外部ケース（８２Ｄ）とを備えることを特徴とする請求項５に記載の麺用自動販売機。
【請求項１０】
前記制御部（９０）は、
前記容器配置部材（４２Ｂ）の作動を感知する第１の作動感知部材（９１）と、
前記容器支持リンク（４４Ｂ）の作動を感知する第２の作動感知部材（９２）と、
前記容器支持部材（７４）の両側面に設けられているもので、前記使い捨て容器（２０）の縁部が前記容器支持部材（７４）の縁部上に位置するように、前記容器配置部材（４２Ｂ）によって移送された前記使い捨て容器（２０）が安定して配置されたことを感知する、容器配置感知センサ（９８）と、
前記容器支持部材（７４）の作動を感知する第３の作動感知部材（９３）と、
容器放出部材（８４）に設けられているもので、前記使い捨て容器（２０）が前記容器放出部材（８４）へと安定して配置されたことを感知する、排出位置感知センサ（９４）と、
前記容器放出部材（８４）の作動を感知する第４の作動感知部材（９５）と、更に、
マイクロコンピュータ（９６）とを備え、
前記マイクロコンピュータ（９６）は硬貨作動式機構から硬貨挿入信号が生成された際に前記第１の駆動部材（４２Ｇ）に電力を供給し、
前記使い捨て容器（２０）は前記容器配置部材（４２Ｂ）の上昇により上昇し、
前記第１の作動感知部材（９１）が前記容器配置部材（４２Ｂ）の作動を感知した際に前記マイクロコンピュータ（９６）は前記容器支持リンク（４４Ｂ）の脚部間の空間を広げるために前記第２の駆動部材（４６Ｄ）に電力を供給し、
前記第２の作動感知部材（９２）が前記容器支持リンク（４４Ｂ）の作動を感知した際に前記マイクロコンピュータ（９６）は前記容器配置部材（４２Ｂ）を下降させ次いで停止するために前記第１の駆動部材（４２Ｇ）に電力を供給し、
前記マイクロコンピュータ（９６）は前記容器支持リンク（４４Ｂ）を初期位置に復帰させるために前記第２の駆動部材（４６Ｄ）に電力を供給するので次の使い捨て容器（２０）が前記容器支持リンク（４４Ｂ）内にロックされ、
前記第２の作動感知部材（９２）が前記容器支持リンク（４４Ｂ）の作動を感知した際に前記マイクロコンピュータ（９６）は前記容器配置部材（４２Ｂ）を下降させて初期位置へと移動させるために前記第１の駆動部材（４２Ｇ）に電力を供給し、
それによって、前記一次使い捨て容器（２０）が前記容器支持部材（７４）上に配置され、前記容器配置感知センサ（９８）が前記使い捨て容器（２０）の安定した装填を感知した際に前記マイクロコンピュータ（９６）は前記容器配置部材（９２Ｂ）をその初期位置へ復帰させるために前記第１の駆動部材（９２Ｆ）に電力を供給し、
前記マイクロコンピュータ（９６）は前記容器支持部材（７４）を前記初期位置（Ａ）から前記加熱位置（Ｂ）へと運動させるために前記第３の駆動部材（７６Ｅ）に電力を供給し、
前記第３の作動感知センサ（９３）が前記容器支持部材（７４）の作動を感知した際に前記マイクロコンピュータ（９６）はこれを所定の時間間隔だけ開放するために前記第２の弁（６６）に電力を供給し、
所定量の湯が前記使い捨て容器（２０）に注入された際に前記マイクロコンピュータ（９６）は前記使い捨て容器（２０）を加熱するために所定の時間間隔だけ前記加熱部材（５０）に電力を供給し、
所定の時間間隔が経過した後に前記マイクロコンピュータ（９６）は水平状態を維持した状態の前記使い捨て容器（２０）を前記容器支持部材（７４）によって前記加熱位置（Ｂ）から前記排出位置（Ｃ）へと運動させかつその初期位置へと復帰させるために前記第３の駆動部材（７６Ｅ）に電力を供給し、
前記排出位置感知センサ（９４）が前記使い捨て容器（２０）の安定した装填を感知した際に前記マイクロコンピュータ（９６）は前記容器放出部材（８４）を前記放出穴（１１）に向かって運動させるために前記第４の駆動部材（８８）に電力を供給し、それによって前記容器放出部材（８４）が前記放出ドア（１２）を外側へと押して前記放出ドア（１２）が開放され、かつ、
前記排出位置感知センサ（９４）が前記使い捨て容器（２０）の放出動作を感知した際に前記マイクロコンピュータ（９６）は前記第４の駆動部材（８８）を前記排出位置（Ｃ）へと復帰させるためにそれに電力を供給する、
ことを特徴とする請求項１〜５のいずれか一つに記載の麺用自動販売機。
【請求項１１】
前記第１、前記第２、前記第３および前記第４の作動感知部材（９１、９２、９３、９５）がそれぞれリミット・スイッチを備える、ことを特徴とする請求項１０に記載の麺用自動販売機。
【請求項１２】
前記第１、前記第２、前記第３および前記第４の作動感知部材（９１、９２、９３、９５）が、前記第１、前記第２、前記第３および前記第４の回転プレート（４２Ｅ、４６Ｂ、７６Ｃ、８６）それぞれの回転角度を感知するフォトカプラを備える、ことを特徴とする請求項１０に記載の麺用自動販売機。
【請求項１３】
前記ドア（１３）は箸投込み装置（１００）を設け、前記箸投込み装置（１００）は、
前記ドア（１３）の内側に設置し、自身を貫通する放出穴（１３Ａ）が形成された第７のブラケット（１１０）と、
前記第７のブラケット（１１０）上に垂直に設けられて自身の開放した下部分が前記放出穴（１３Ａ）に対して位置し接続された包み紙で包装された箸（１３Ｄ）を受け取るもので、切取り穴（１２２）が自身の底部両側を貫通して形成される、箸受け部材（１２０）と、
自身の中心に形成された作動穴（１３２）内で相互に対して対向するように形成された切刃（１３４）を有し、直角に動作するように、前記第７のブラケット（１１０）上に設けられる切断部材（１３０）と、
下降している箸（１３Ｄ）を支持するものであって、前記放出穴（１３Ａ）の下になるように、所定のギャップがある状態で前記切断部材（１３０）の底面両側に設けられる、箸支持部材（１４０）と
一方端が前記切断部材（１３０）の一方側にヒンジで接続された第６の接続棒（１５０）と、
前記制御部（９０）によって制御され、前記第５の回転プレート（１６２）を設定角度で回転させて前記切断部材（１３０）を往復運動させる第５の駆動部材（１６０）と、更に、
傾斜面（１７２）を有し、前記第７のブラケット（１１０）の底面に設けられるものであって、前記第７のブラケット（１１０）の放出穴（１３Ａ）から放出される前記箸（１３Ｄ）を、前記ドア（１３）を貫通する前記箸取出し部（１３Ｎ）を通して放出する、放出部材（１７０）と
を備えることを特徴とする請求項１に記載の麺用自動販売機。
【請求項１４】
前記ドア（１３）は箸投込み装置（２００）を設け、箸投込み装置（２００）は、
前記ドア（１３）の内側に設けられた第８のブラケット（２１０）と、
前記第８のブラケット（２１０）に固定され設けられたものであって、前記ドア（１３）上に形成された箸投込み部（１３Ｎ）位置に一致させて自身の両下側に形成される運動穴（２２２）を有する、箸保管部材（２２０）と、更に、
前記第８のブラケット（２１０）の一方側に設けられたものであって、前記放出棒（２３２）を前記運動穴（２２２）に挿入させて往復運動させ、前記箸保管部材（２２０）上に積み重ねられた箸（１３Ｄ）を押して前記取出し部（１３Ｎ）へと移動させる、第６の駆動部材（２３０）と
を備えることを特徴とする請求項１に記載の麺用自動販売機。
【請求項１５】
前記第６の駆動部材（２３０）がソレノイドを備えることを特徴とする請求項１４に記載の麺用自動販売機。
【発明の詳細な説明】
【技術分野】
【０００１】
本発明は、麺用自動販売機に関し、特に、硬貨の自動販売機への挿入中に生成される注文信号に基づき、麺を自動的に調理し、これを消費者に供給することができる麺用自動販売機に関する。
【背景技術】
【０００２】
一般的に、麺用自動販売機は、通常、硬貨の自動販売機への挿入中に生成される注文信号に基づいて、カップ・タイプの麺を自動的に放出する出口と、麺出口を通して放出されたカップ・タイプの麺に湯を注ぐ湯出口とを含む。
【０００３】
上述したような従来の麺用自動販売機の問題は、その作動機構のためにカップ・タイプの麺しか販売できないことである。したがって、ビニル紙で包んだ麺を食するという消費者の欲望を満足させることは不可能である。
【０００４】
この問題を解決するために様々な努力が提案されてきた。１つのアプローチは、ビニル紙で包んだ麺を調理する従来の自動販売機により提案されている。
【０００５】
以下では、ビニル紙で包んだ麺を調理する手順について簡単に説明する。
【０００６】
最初に、消費者が硬貨で作動する機械に硬貨を投入すると、作動開始信号が生成され、その後にビニル紙で包まれた麺、仕上げ材料、および湯が調理容器へ自動的に充填される。次に、容器が加熱され、それによって麺の調理が開始される。麺を調理した後、これは別の容器に注入され、次いで、出口を通して販売機から外側へ排出される。
【０００７】
上述したような従来の麺用自動販売機では、複数の開放したカップ・タイプの麺を積み重ねて装填するための保管所と、調理された麺を受ける複数の容器を装填するための保管所とを有する必要がある。したがって、構成要素の数が増加するので、従来の自動販売機の製造費が増大する。また、従来の自動販売機は、大型に作成しなければならない。調理用容器は噴霧した水でしか洗浄されないため、洗浄が不十分なことがあるので、その衛生状態が多大な懸念を引き起こしている。
【０００８】
一方、上記問題を解決するための別のアプローチが提案されている。すなわち、使い捨て容器を直接加熱する麺用自動販売機が提案されている。しかし、この従来の麺用自動販売機は、複数の開放したカップ・タイプの麺、仕上げ材料、および複数の容器を装填するための保管所を有していなければならない。したがって、従来の自動販売機の製造費も、構成要素の数が増加するために高くなる。さらに、従来の自動販売機は、大型に作成しなければならない。
【発明の開示】
【発明が解決しようとする課題】
【０００９】
したがって、上記問題を解決するために本発明が開発された。本発明の目的は、使い捨て容器内に入れられた麺を直接加熱することにより、衛生的に麺を調理することができる麺用自動販売機を提供することである。
【００１０】
本発明のもう１つの目的は、複数の開放したカップ・タイプの麺および仕上げ材料を装填するための保管所を使用する必要性をなくし、麺を調理するための容器およびガス・バーナを使用する必要をなくすことにより、既知の麺用自動販売機に対して、本体の体積が大幅に減少した麺用自動販売機を提供することである。
【課題を解決するための手段】
【００１１】
上記問題を解決するために、本発明は、所定の硬貨を硬貨作動式機構に挿入した際に注文信号を受信して自動的に麺を調理する麺用自動販売機であって、下記の本体、麺貯蔵部材、容器供給部、容器搬送部、容器放出部、および制御部を備えることを特徴としている。
【００１２】
本体は、その前方開放部分に設けられた回転可能なドアと、本体内に設けられ相互に対して平行な中央仕切りおよび下部仕切りとを備え、上記ドアには、放出ドアによって開閉できる放出穴がドアの一方側を貫通して形成されている。
【００１３】
麺貯蔵部材は、本体内部の上部分に設けられて、その開放された下部分が貫通穴に対応して位置し、その内部に複数の金属製使い捨て容器を貯蔵するためのものであって、上記金属製使い捨て容器内には調理すべき麺および仕上げ材料が入れられてある。
【００１４】
容器供給部は、上記麺貯蔵部材内に装填された金属製使い捨て容器を１つずつ放出するため、中心仕切りに設けられて貫通穴と麺貯蔵部材との間に配置される。
【００１５】
容器搬送部は、金属製使い捨て容器移送のため、下部仕切りに設けられ、容器供給部から放出された金属製使い捨て容器を初期位置から加熱部材の上面に設定された加熱位置へと移送し、金属製使い捨て容器に湯を注ぎ、加熱部材を使用して金属製使い捨て容器を直接加熱して麺が調理された際に、容器搬送部が金属製使い捨て容器を加熱位置から排出位置へと移送する。
【００１６】
容器放出部は、容器搬送部の前部分に設けられ、容器搬送部の動作により排出位置へと移送されている金属製使い捨て容器を、放出ドアの放出穴を通して外側へと放出する。
【００１７】
制御部は、容器供給部、容器搬送部、および容器放出部の動作状態を感知し、湯供給部から供給される湯の温度を感知する感知手段によって生成された感知信号を受けることにより、容器供給部、容器搬送部、湯供給部、加熱部材、および容器放出部を制御する。
【００１８】
湯供給部は、本体内に設けられることが好ましく、下記の貯蔵タンク、加熱タンク、第１の弁、複数の水位感知センサ、湯加熱部材、温度感知センサ、および第２の弁により構成される。
【００１９】
貯蔵タンクは、外部水源から供給された水を貯蔵する。
【００２０】
加熱タンクは、貯蔵タンクから導入された水を加熱する。
【００２１】
第１の弁は、貯蔵タンクと加熱タンクとの間に設けられ、貯蔵タンクから加熱タンクへの水の導入を制御する。
【００２２】
複数の水位感知センサは、加熱タンク内に設けられ、貯蔵タンクから供給される水のレベルを繰り返し感知する。
【００２３】
湯加熱部材は、加熱タンク内に設けられ、貯蔵タンクから供給された水を加熱する。
【００２４】
温度感知センサは、加熱タンクによって加熱された湯の温度を感知する。
【００２５】
第２の弁は、制御部によって制御され、加熱部材上に配置された金属製使い捨て容器へ、湯加熱部材によって加熱された湯を放出することを制御する。
【００２６】
容器供給部は、以下の、リンク作動部、放出部、および容器支持部を備える。
【００２７】
リンク作動部は、一対の容器支持リンク、一対の接続リンク、往復リンク、および第１の水平案内部材を含み、容器支持リンクの端部が中央仕切りに設けられた第１のブラケットの両側とヒンジで結合され、使い捨て容器の両側が容器支持リンク上に配置され、接続リンクの端部が容器支持リンクにヒンジで接続され、接続リンクの他方端が往復リンクの両側とヒンジで接続され、かつ、往復リンクを案内する第１の水平案内部材が往復リンクを水平方向にスライドさせるために中央仕切りに設けられる。
【００２８】
放出部は、制御部により制御され、リンク作動部を作動させるもので第２の接続棒、第２の回転プレートおよび第２の駆動部材を含み、第２の接続棒の一方端が往復リンクに結合され、第２の接続棒の他方端が第２の回転プレートに結合され、その中心が第２の回転プレートに対して偏心し、第２の回転プレートが第３のブラケットによって中央仕切りに設けられ、かつ、第２の回転プレートを駆動する第２の駆動部材が第３のブラケットに設けられる。
【００２９】
容器支持部は、制御部によって制御され、放出支持ブラケット、容器配置部材、第１の接続棒、第１の回転棒、第１の回転プレート、および第１の駆動部材を含み、放出支持ブラケットが下部仕切りに設けられて貫通穴の下部分の下に配置され、容器配置部材が容器支持リンクの脚部間に生成された空間を通して垂直案内部材によって上下にスライドすることができ、垂直案内部材が放出支持ブラケット内に設けられ、第１の接続棒の一方端が容器配置部材と接続され、第１の接続棒の他方端が第１の回転棒の一方端と接続され、かつ、第１の回転プレートを駆動する第１の駆動部材が容器配置部材を垂直方向に動かすために下部仕切りに設けられる。
【００３０】
容器搬送部は、以下の、一対のリンク部材、容器支持部材、および容器移送駆動部を備える。
【００３１】
一対のリンク部材は、それぞれ一対の第４のブラケットとヒンジで結合された下端を有し、第４のブラケットは下部仕切りの上面に設けられて貫通穴の下部に配置される。
【００３２】
容器支持部材は、開放した一方側とリンク部材の上端にヒンジで結合された下側とを有し、容器供給部から移送された使い捨て容器の縁部がその上にぴったり固定されてから支持される。
【００３３】
容器移送駆動部は、第３の接続棒、第２の回転棒、第３の回転プレート、および第３の駆動部材を含み、第３の接続棒の一方端はリンク部材と結合され、第３の接続棒の他方端は第２の回転棒の一方端と結合され、第２の回転棒の他方端は第３の回転プレートと結合され、第３の駆動部材は第５のブラケットによって下部仕切りに設けられ、第３の駆動部材は容器支持部材の水平状態を維持しつつ容器支持部材を初期位置から加熱位置へ、加熱位置から放出位置へ、かつ放出位置から初期位置へと移動させるために第２の回転棒を作動させる。
【００３４】
容器放出部は、下記の、第２の水平案内部材、容器放出部材、第４の回転プレート、および第４の駆動部材を備える。
【００３５】
第２の水平案内部材は、第６のブラケットの上部分に設けられ、第６のブラケットは、下部仕切りの前部分に設けられて排出位置の下部分に位置する。
【００３６】
容器放出部材は、第２の水平案内部材の上面に設けられ、容器搬送部の動作により排出位置へと移送される金属製使い捨て容器を固定することができる。
【００３７】
第４の回転プレートは、第５の接続棒の一方端に回転可能に結合され、第５の接続棒の他方端は容器放出部材と回転可能に結合される。
【００３８】
第４の駆動部材は、制御部によって制御され、第４の回転プレートを動作させるものであって第６のブラケットの一方側に設けられ、第４の回転プレートの運動により、容器放出部材を放出ドアの放出穴に向かって水平状態を維持しながら移動させる。
【発明を実施するための最良の形態】
【００３９】
以下に、本発明の麺用自動販売機について、好ましい実施形態により、添付図面を参照して詳細に説明する。
【００４０】
図１には、本発明の好ましい実施形態による麺用自動販売機が示される。自動販売機は本体１０を備え、本体１０は、硬貨作動式機構（図示せず）、麺貯蔵部材３０、容器供給部４０、面搬送部７０、容器放出部８０、および制御部９０（図１２参照）を有する。
【００４１】
図１で示される麺用自動販売機では、使い捨て容器２０が麺貯蔵部材３０内に装填される。容器供給部４０は、麺貯蔵部材３０からの麺を入れるため、使い捨て容器２０を１つずつ排出する。使い捨て容器２０が加熱部材５０へと移送された際に、湯供給部６０から送られた湯が使い捨て容器２０に注入され、使い捨て容器２０に入った麺の調理が開始される。麺の調理後、使い捨て容器２０は、容器搬送部７０の動作により排出位置（Ｃ）へと移送される。容器搬送部７０によって移送された使い捨て容器２０は、容器放出部８０の動作により自動販売機から排出される。制御部９０（図１２参照）は、上述したように自動販売機の構成要素を制御する。
【００４２】
本発明の好ましい実施形態による麺用自動販売機について詳細に説明してきたが、その構成および動作は、図２から図７Ｂまでに関して以下のように理解することができる。
【００４３】
ドア１３が本体１０の前面に設けられる。硬貨投入信号を生成する硬貨作動式機構（図示せず）が本体１０の後面に設けられる。下部仕切り１６および中央仕切り１５は本体１０の内部に設けられ、これらは相互に平行である。貫通穴１４は中央仕切り１５の一方側で貫通して形成される。また、放出穴１１はドア１３の一方側で貫通して形成される。放出ドア１２は放出穴１１に設けられ、これは放出ドア１２の下端に固定したヒンジの軸線を中心に旋回することができる。ねじりバネ（図示せず）は、放出ドア１２の下端に固定したヒンジの軸線に隣接する位置に設けられる。ねじりバネは、放出穴１１を閉鎖するように、放出ドア１２を押すことができる。
【００４４】
麺を貯蔵する麺貯蔵部材３０は、開放した下部分、およびドア（図示せず）によって開閉する前面に供給される。自身内に麺および仕上げ材料を有する金属製使い捨て容器２０は、麺貯蔵部材３０に装填、収容される。麺貯蔵部材３０は、所定の距離だけ中央仕切り１５の上面から隔置される。この時点で、開放した下部分は、中央仕切り１５の貫通穴１４の上部分に位置決めされる。
【００４５】
容器供給部４０は、麺貯蔵部材３０に装填された使い捨て容器２０を１つずつ放出するものであって、容器支持部４２と、リンク作動部４４と、放出部４６とを備える。
【００４６】
容器支持部４２は、容器配置部材４２Ｂ、第１の接続棒４２Ｄ、第１の回転棒４２Ｅ、第１の回転プレート４２Ｆ、および第１の駆動部材４２Ｇを含む。容器配置部材４２Ｂは、垂直案内部材４２Ｃの補助で、放出支持ブラケット４２Ａ内にて上下にスライドすることができる。垂直案内部材４２Ｃは、放出支持ブラケット４２Ａ内で下部仕切り１６に設けられて中央仕切り１５の貫通穴１４の下部分に位置する。第１の接続棒４２Ｄの一方端は容器配置部材４２Ｂに接続する。第１の接続棒４２Ｄの他方端は第１の回転棒４２Ｅの一方端に接続する。第１の駆動部材４２Ｇは容器配置部材４２Ｂを垂直方向に運動させるために第１の回転プレート４２Ｆを駆動し、下部仕切り１６に設けられ、制御部９０により制御される。したがって、第１の駆動部材４２Ｇの作動を開始した際には、第１の回転棒４２Ｅが第１の駆動部材４２Ｇの回転シャフト周囲で回転し、それによって第１の回転プレート４２Ｆおよび第１の接続棒４２Ｄが一緒に回転する。
【００４７】
あるいは、第１の接続棒４２Ｄの他方端は、その中心が第１の回転プレート４２Ｆの中心に対して偏心である状態で、第１の回転プレート４２Ｆと直接接続することができる。更に、第１の回転プレート４２Ｆは、第１の駆動部材４２Ｇの動作により回転することができる。
【００４８】
リンク作動部４４は、一対の容器支持リンク４４Ｂ、一対の接続リンク４４Ｃ、往復リンク４４Ｄ、および第１の水平案内部材４４Ｆを備える。容器支持リンク４４Ｂの端部は、中央仕切り１５に設置される第１のブラケット４４Ａの両側とヒンジで結合される。使い捨て容器２０の両端は、容器支持リンク４４Ｂ上に位置する。接続リンク４４Ｃの端部は、容器支持リンク４４Ｂとヒンジで接続される。接続リンク４４Ｃの他方端は、往復リンク４４Ｄの両側とヒンジで接続される。第１の水平案内部材４４Ｆは往復リンク４４Ｄを水平方向にスライドさせるために往復リンク４４Ｄを案内するもので中央仕切り１５に設けられる。第１の水平案内部材４４Ｆは、使い捨て容器２０の縁部を支持し、使い捨て容器２０を１つずつ放出するために容器支持部４２との組み合わせで作動する。
【００４９】
図１に示されるように、垂直案内部材４２Ｃおよび第１の水平案内部材４４Ｆそれぞれは、真円軸受け（ＢＥ）および案内棒（ＲＤ）を備える。軸受け（ＢＥ）は容器配置部材４２Ｂと組み合わせられる。案内棒（ＲＤ）が軸受け（ＢＥ）を通過し、案内棒（ＲＤ）の上下端部が放出支持ブラケット４２Ａの上下部分に設けられる。
【００５０】
したがって、軸受け（ＢＥ）および案内棒（ＲＤ）が相互に係合し、一緒にスライドできるので、軸受け（ＢＥ）と組み合わせられた容器配置部材４２Ｂは、第１の駆動部材４２Ｇの動作中に垂直方向に移動することができ、往復リンク４４Ｄは水平方向にスライドすることができる。
【００５１】
図９Ａに示されるように、本発明の別の実施形態による垂直案内部材４２Ｃは外部ケース（ＯＣＡ）および内部ケース（ＩＣＡ）を備える。外部ケース（ＯＣＡ）は放出支持ブラケット４２Ａに垂直に設置される。内部ケース（ＩＣＡ）は、外部ケース（ＯＣＡ）で受けた複数の軸受けによって長手方向にスライドすることができ、容器設置部材４２Ｂはその中に設けられる。
【００５２】
図９Ｂに示されるように、本発明の別の実施形態による水平案内部材４４Ｆは内部ケース（ＩＣＡ）および外部ケース（ＯＣＡ）を備える。内部ケース（ＩＣＡ）は往復リンク４４Ｄの下面に設けられる。複数の玉軸受けは外部ケース（ＯＣＡ）内に設けられ、外部ケース（ＯＣＡ）の両端は一対の第２のブラケット４４Ｅに設置される。
【００５３】
しかし、垂直案内部材４２Ｃおよび水平案内部材４４Ｆの構造は、上記実施形態による構造に制限されない。すなわち、本発明では、容器配置部材４２Ｂを垂直方向に案内し、そして往復リンク４４Ｄを水平方向に案内するための全ての構造を採用することができる。
【００５４】
放出部４６は、リンク作動部４４を作動させるものであって、第２の接続棒４６Ａ、第２の回転プレート４６Ｂ、および第２の駆動部材４６Ｄを備える。第２の接続棒４６Ａの一方端は往復リンク４４Ｄに結合される。第２の接続棒４６Ａの他方端は第２の回転プレート４６Ｂに接続され、その中心は第２の回転プレート４６Ｂに対して偏心する。第２の回転プレート４６Ｂは第３のブラケット４６Ｃにより中央仕切り１５に設置される。第２の駆動部材４６Ｄは、第２の回転プレート４６Ｂを駆動するもので、第３のブラケット４６Ｃに設置され、制御部９０により制御される。
【００５５】
上記構造を有する容器供給部４０において、リンク作動部４４および容器支持部４２は、相互の組み合わせで作動し、使い捨て容器２０を一つずつ放出することができる。
【００５６】
加熱部材５０は、以下で説明する第５のブラケット７６Ｄから延びるブラケットの上面上に設けられ、加熱位置（Ｂ）に配置させることができる。加熱部材５０は、電熱線がアルミニウムのような優れた熱伝導度を有する金属に挿入されている構造を有する。湯供給部６０は、湯の温度を所定の温度に均一に維持し、次いで加熱部材５０上に配置された使い捨て容器２０に所定量の湯を供給する。
【００５７】
図８に示すように、加熱部材５０は、第１の弁６１を有する貯蔵タンク６２、複数の水位感知センサ６３、湯加熱部材６４、温度感知センサ６５、および第２の弁６６を有する加熱タンク６７を備える。第１の弁６１は、本体１０内に設置され、制御部９０により制御される。水位感知センサ６３は、貯蔵タンク６２から供給される水のレベルを反復的に感知するもので、麺貯蔵部材３０により妨げられない状態で、本体１０の内壁に設置される。供給された水を加熱する湯加熱部材６４は加熱タンク６７内に設置される。加熱した湯の温度を感知する温度感知センサ６５は加熱タンク６７に設置される。第２の弁６６は、加熱部材５０上に位置する使い捨て容器２０に湯を供給するように制御部９０により制御される。湯加熱部材６４は、発熱ランプ、電熱線などでよいが、本発明による実施形態では電熱線が使用される。
【００５８】
この時点で、貯蔵タンク６２が加熱タンク６７の上に位置するならば、第１の弁を開放するだけで水を加熱タンク６７に供給することができる。しかし、貯蔵タンク６２が加熱タンク６７の下に位置しているならば、特定のポンプを作動させることによってのみ、水を加熱タンク６７に供給することができる。
【００５９】
一方、水位感知センサ６３は、加熱タンク６７内の下部分、中央部分および上部分それぞれで水位を感知する。したがって、制御部９０は、水位感知センサ６３から生成された感知信号に基づいて、放出される湯および供給される水の量を制御する。
【００６０】
容器搬送部７０は、リンク部材７２、容器支持部材７４、および容器移送駆動部７６を備える。容器搬送部７０は、容器供給部４０から放出される使い捨て容器２０を、初期位置（Ａ）から加熱部材５０の上面上の加熱位置（Ｂ）へと移送する。湯供給部６０によって供給された湯が使い捨て容器２０に注入され次に使い捨て容器２０が加熱部材５０により直接加熱され、それによって麺が調理された際には、容器搬送部７０が使い捨て容器２０を加熱位置（Ｂ）から排出位置（Ｃ）へと移送する。
【００６１】
リンク部材７２の下端は、それぞれ一対の第４のブラケット７２Ａにヒンジで結合されている。第４のブラケット７２Ａは、下部仕切り１６の上面上に設けられ、貫通穴１４の下部分に配置される。
【００６２】
容器支持部材７４の一方側は、使い捨て容器２０を放出する前面側であり開放されている。したがって、使い捨て容器２０の縁部はその上にぴったり固定され、容器供給部４０の容器配置部材４２Ｂが下降する間、容器支持部材７４によって支持される。リンク部材７２の上端を容器支持部材７４の下面の両側にヒンジで結合する。したがって、リンク部材７２が第４のブラケット７２Ａのヒンジ位置を中心に前後方向（すなわち、本体の内部に向かう方向およびその反対方向）に回転させた際には、容器支持部材７４は、その水平状態を維持し、次に初期位置（Ａ）、加熱位置（Ｂ）および排出位置（Ｃ）に向かって移動する。
【００６３】
容器移送駆動部７６は、第３の接続棒７６Ａ、第２の回転棒７６Ｂ、第３の回転プレート７６Ｃ、および第３の駆動部材７６Ｅを備える。第３の接続棒７６Ａの一方端はリンク部材７２に結合されている。第３の接続棒７６Ａの他方端は第２の回転棒７６Ｂに結合されている。第２の回転棒７６Ｂは第３の回転プレート７６Ｃに設けられる。第３の回転プレート７６Ｃを駆動する第３の駆動部材７６Ｅは制御部９０により制御される。
【００６４】
上記容器移送駆動部７６は、リンク部材７２を前後方向に作動させることにより、容器支持部材７４を初期位置（Ａ）から加熱位置（Ｂ）へと移送し、次に加熱位置（Ｂ）から排出位置（Ｃ）へ、そして最後に、排出位置（Ｃ）から初期位置（Ａ）へと移送する。この移送の間、容器支持部材７４はその水平状態を維持することができる。
【００６５】
容器搬送部７０の容器支持部材７４は、第１の水平案内部材４４Ｆと同じ構造を有することができる。しかし、この場合、加熱位置（Ｂ）で加熱部材５０の上面上に位置させるため、水平方向に移送される容器搬送部７０を下方向に動かすための任意の機械的構造を有する必要がある。そうでない場合は、加熱部材５０を上方向に動かす任意の構造を有する必要がある。したがって、容器搬送部７０を正確に作動させるために、上述したようなリンク構造を有することが好ましい。
【００６６】
容器放出部８０は、第２の水平案内部材８２、容器放出部材８４、第４の回転プレート８６、および第４の駆動部材８８を備える。容器放出部８０は、使い捨て容器２０を移送し、使い捨て容器２０は容器搬送部７０によって放出位置（Ｃ）へ、さらにドア１２の放出穴１１を通して外側へと移送される。
【００６７】
図１に示されるように、第２の水平案内部材８２は、二対の放出リンク部材８２Ｂを備える。放出リンク部材８２Ｂの下端は、下部仕切り１６の前部分に設けられた第６のブラケット８２Ａにおける両方の上側とヒンジにより結合している。したがって、第２の水平案内部材８２は、放出位置（Ｃ）の下部分に位置させることができる。
【００６８】
放出リンク部材８２Ｂは、放出リンク部材８２Ｂの上端が容器放出部材８４の両下側にヒンジにより結合された状態で、円弧形の軌跡に沿って容器放出部材８４を移送する。この時点で、容器放出部材８４はその水平状態を維持する。
【００６９】
しかし、第２の水平案内部材８２は、放出リンク部材８２Ｂの構造に限定されない。図９Ｃに示されるように第２の水平案内部材８２は、自身内にこれをスライドさせるための玉軸受け（図示せず）を有する構造を持つことができる。すなわち、第２の水平案内部材８２は、第６のブラケット８２Ａの上面に固定された外部ケース８２Ｃと、外部ケース８２Ｃ内で受ける複数の玉軸受けによって長手方向にスライドする外部ケース８２Ｄとを備えることができる。したがって、容器放出部材８４が外部ケース８２Ｃを第６のブラケット８２Ａの上面に固定しかつ外部ケース８２Ｄに容器放出部材８４を固定した後に運動する際には、容器放出部材８４は玉軸受けによる外部ケース８２Ｄのスライド運動により水平方向に移動することができる。
【００７０】
容器搬送部７０によって移送される使い捨て容器２０を受けるための形状を有する容器放出部材８４では、第６のブラケット８２Ａに設けられた放出リンク部材８２Ｂの上端は容器放出部材８４の両下側に結合される。水平バーは容器放出部材８４の下面に設置される。第５の接続棒８６Ａの一方端は水平バーに回転可能に結合される。
【００７１】
第５の接続棒８６Ａの他方端は第４の回転プレート８６に回転可能に結合される。第４の回転プレート８６は、第４の回転プレート８６を第６のブラケット８２Ａの一方側に設置され、第４の駆動部材８８により駆動される。
【００７２】
第６のブラケット８２Ａに設置された第４の回転プレート８６が第４の回転プレート８６を作動させた際には、容器放出部材８４は第５の接続棒８６Ａによって円弧形軌跡に沿って移動する。
【００７３】
図１２に示されるように、制御部９０は、容器供給部４０、容器搬送部７０および容器放出部８０が作動しているか否かを感知するため、および、湯供給部６０から供給される湯の温度を感知するための感知手段を含む。制御部９０は、感知手段から生成された感知信号に基づいて、容器供給部４０、容器搬送部７０、湯供給部６０および容器放出部８０の動作を制御する。
【００７４】
制御部９０は、容器配置部材４２Ｂの動作を感知する第１の作動感知部材９１と、容器支持リンク４４Ｂの動作を感知する第２の作動感知部材９２と、容器配置感知センサ９８と、容器供給部材７４の動作を感知する第３の作動感知部材９３と、排出位置感知センサ９４と、容器放出部材８４の動作を感知する第４の作動感知部材９５と、マイクロコンピュータ９６とを備える。
【００７５】
この時点で、第１、第２、第３および第４の作動感知部材９１、９２、９３、９５それぞれは、リミット・スイッチを備える。
【００７６】
以下では、作動感知部材９１、９２、９３、９５の構成および動作について詳細に説明される。
【００７７】
リミット・スイッチである第１の作動感知部材９１は、放出支持ブラケット４２Ａの上面の一方側に設置され、容器配置部材４２Ｂの垂直方向での往復運動に従ってオフまたはオンに切り換えられるものであって、その切換えによって容器配置部材４２Ｂの動作を感知する。同様に、第２の作動感知部材９２は、第３のブラケット４６Ｃに設置され、往復リンク４４Ｄの往復運動に従ってオフまたはオンに切り換えられ、その切換えによって容器支持部材４４Ｂの動作を感知する。また、第３の作動感知部材９３は第５のブラケット７６Ｄに設置され、第３の回転棒７６Ｂの往復運動に従ってオフまたはオンに切り換えられ、この切換えによって容器支持部材７４の動作を感知する。第４の作動感知部材９５は、第６のブラケット８２Ａに設置され、第２の水平案内部材８２の往復運動に従ってオフまたはオンに切り換えられ、この切換えによって容器放出部材８４の動作を感知する。
【００７８】
一方、第１、第２、第３および第４の作動感知部材９１、９２、９３、９５それぞれは、第１、第２、第３および第４の回転プレート４２Ｆ、４６Ｂ、７６Ｃ、８６の回転角度または回転数を感知するために、フォトカプラ（図示せず）を備える。
【００７９】
図５Ａから図７Ｂに示されるように、感知穴が第１、第２、第３および第４の回転プレート４２Ｆ、４６Ｂ、７６Ｃ、８６を貫通して形成されており、フォトカプラはその感知穴を通して回転角度または回転数を感知できる。
【００８０】
すなわち、フォトカプラは、第１、第２、第３および第４の回転プレート４２Ｆ、４６Ｂ、７６Ｃ、８６を通して、様々な位置で、形成された感知穴を個々に感知し、次いで、回転角度または回転数を感知した後に、感知信号をマイクロコンピュータ９６に送信する。その後、マイクロコンピュータ９６は、感知信号に基づいて回転プレートを駆動するために、駆動部材を制御する。本発明の好ましい実施形態によれば、第１、第２、第３および第４の回転プレート４２Ｆ、４６Ｂ、７６Ｃおよび８６は、その作動特性に従って９０°、１８０°、３６０°回転する。
【００８１】
好ましくは、容器配置感知センサ９８がリミット・スイッチを備える。この容器配置感知センサ９８は、固定されるべき使い捨て容器２０の両方の側縁により押下された際にオンに切り換えられる。あるいは、容器配置感知センサ９８は、使い捨て容器２０がそこから解放された際にオフに切り換えられる。
【００８２】
容器配置感知センサ９８は、容器支持部材７４の両側面に設置されるので、使い捨て容器２０の縁部が容器支持部材７４の縁部上に位置する使い捨て容器２０の安定した位置を感知することができる。また、使い捨て容器２０が容器支持部材７４の縁部上に位置する使い捨て容器２０の不安定な位置を感知することができ、そこでは、次の作動を停止する。使い捨て容器２０が容器支持部材７４の縁部上に位置すると、容器配置感知センサ９８は、麺用自動販売機を停止させ、それによって事故発生を防止することができる。すなわち、制御部９０は、容器配置感知センサ９８の全てがオンまたはオフに切り換えられると、第３の駆動部材７６Ｅを制御する。容器配置感知センサ９８の全てが、使い捨て容器２０によってオンまたはオフに切り換えられた際には、使い捨て容器２０の安定状態が感知され、そこで、次の動作に進むことができる。
【００８３】
図１に示されるように、排出位置感知センサ９４は、容器放出部材８４の中心に設置され、使い捨て容器２０の縁部が容器放出部材８４と接触した際に、使い捨て容器２０の安定した装填を感知する。排出位置感知センサ９４はリミット・スイッチを備えるが、使い捨て容器２０の安定した装填を感知する任意の感知手段がこれに置換できる。
【００８４】
図１２に示されように、マイクロコンピュータ９６は、第１、第２、第３および第４の作動感知センサ９１、９２、９３、９５、容器配置感知センサ９８、排出位置感知センサ９４、水位感知センサ９３、および温度感知センサ６５から生成された感知信号を受信することにより、第１の駆動部材４２Ｇ、第２の駆動部材４６Ｄ、第３の駆動部材７６Ｅ、および第４の駆動部材８８の動作を制御する。また、マイクロコンピュータ９６は、第１および第２の弁６１、６６の動作を制御する。
【００８５】
以下で、マイクロコンピュータ９６の作動について詳細に説明する。
【００８６】
マイクロコンピュータ９６は、硬貨作動式機構（図示せず）から硬貨挿入信号が生成されると、第１の駆動部材４２Ｇに電力を供給する。そこで、容器配置部材４２Ｂが上昇するので、使い捨て容器２０が上昇する。第１の作動感知部材９１が容器配置部材４２Ｂの動作を感知すると、マイクロコンピュータ９６は、容器支持リンク４４Ｂの脚部間の空間を広げるために、第２の駆動部材４６Ｄに電力を供給する。第２の作動感知部材９２が容器支持リンク４４Ｂの動作を感知すると、マイクロコンピュータ９６は、容器配置部材４２Ｂを下降させ、次いで停止させるために、第１の駆動部材４２Ｇに電力を供給する。
【００８７】
次に、マイクロコンピュータ９６は、容器支持リンク４４Ｂを初期位置に復帰させ、次の使い捨て容器２０を容器支持リンク４４Ｂ内にロックするようにするため、第２の駆動部材４６Ｄに電力を供給する。第２の作動感知部材９２が容器支持リンク４４Ｂの作動を感知すると、マイクロコンピュータ９６は、容器配置部材４２Ｂを下降させて初期位置へ運動させるために、第１の駆動部材４２Ｇに電力を供給する。その結果、一次使い捨て容器２０が容器支持部材７４上に配置される。
【００８８】
容器配置感知センサ９８が使い捨て容器２０の安定した装填を感知すると、マイクロコンピュータ９６は、容器配置部材９２Ｂを初期位置へと復帰させるために、第１の駆動部材９２Ｆに電力を供給する。次に、マイクロコンピュータ９６は、容器支持部材７４を初期位置（Ａ）から加熱位置（Ｂ）へと移動させるために、第３の駆動部材７６Ｅに電力を供給する。第３の作動感知センサ９３が容器支持部材７４の動作を感知すると、マイクロコンピュータ９６は、これを所定の時間間隔だけ開放するために、第２の弁６６に電力を供給する。所定量の湯が使い捨て容器２０に注入されると、マイクロコンピュータ９６は、使い捨て容器２０を加熱するために、所定の時間間隔だけ加熱部材５０に電力を供給する。
【００８９】
所定の時間間隔が経過した後、マイクロコンピュータ９６は、容器支持部材７４によって水平状態を維持した状態の使い捨て容器２０を加熱位置（Ｂ）から排出位置（Ｃ）へと移動させ、かつ容器支持部材７４をその初期位置へと復帰させるために、第３の駆動部材７６Ｅに電力を供給する。
【００９０】
排出位置感知センサ９４が使い捨て容器２０の安定した装填を感知すると、マイクロコンピュータ９６は、容器放出部材８４を放出穴１１に向かって移動させるために、第４の駆動部材８８に電力を供給する。その結果、容器放出部材８４が放出ドア１２を外側へと押して放出ドア１２を開放させる。排出位置感知センサ９４が使い捨て容器２０の放出動作を感知すると、マイクロコンピュータ９６は、第４の駆動部材８８を排出位置（Ｃ）へと復帰させるために、それに電力を供給する。
【００９１】
本発明の好ましい実施形態では、麺貯蔵部材３０、容器供給部４０、加熱部材５０、容器搬送部７０、容器放出部８０、感知部材および感知センサが、図１に示されるような１つの結合部で本体１０内に設置される。しかし、それらは、本体１０の少なくとも一つの要素として採用することもできる。
【００９２】
制御部９０のマイクロコンピュータ９６は、容器供給部４０、加熱部材５０、容器搬送部７０および容器放出部８０をそれぞれ制御する。
【００９３】
以下で、本発明による麺用自動販売機の動作について詳細に説明する。
【００９４】
麺用自動販売機に電力が供給されると、制御部９０のマイクロコンピュータ９６が、その個々の構成部を初期化し、加熱タンク６７に入れた水を加熱するために、温度加熱部材６４に電力を供給する。この加熱動作のため、水の温度が所定の温度レベルに上昇し、そこで、温度感知センサ６５がこれを感知し、それにより感知信号がマイクロコンピュータ９６に送信される。加熱水の温度が所定の温度レベルに到達すると、マイクロコンピュータ９６は、温度加熱部材６４に供給した電力を遮断する。一方、加熱水の温度が所定の温度レベルより低い場合、マイクロコンピュータ９６は温度加熱部材６４に電力を供給する。
【００９５】
その結果、加熱タンク６７内の加熱水の温度を所定の温度レベルで一様に維持することが可能である。
【００９６】
この状態で、消費者がドア１３に設けられた硬貨作動式機構に所定の硬貨または紙幣を挿入すると、機構から注文信号が生成される。そこで、マイクロコンピュータ９６は、消費者の要求に従って麺を調理するために、個々の構成部を制御する。
【００９７】
この時点で、一つの麺が注文された場合、マイクロコンピュータ９６は第１の駆動部材４２Ｇの一方側を制御する。それ以上に、二つの麺が注文された場合、マイクロコンピュータ９６は第１の駆動部材４２Ｇの両側を同時かつ個々に制御する。この実施形態では、一つの麺を注文し、調理して販売するプロセスが説明される。
【００９８】
最初に、電力が第１の駆動部材４２Ｇに供給されると、第１の回転棒４２Ｅが駆動される。これによって第１の回転プレート４２Ｆが設定角度に回転する。これと同様に、第１の回転プレート４２Ｆが回転すると、その回転角度が感知される。そして、第１の棒４２Ｅが第１の接続棒４２Ｄを作動し、これによって第１の接続棒４２Ｄが容器配置部材４２Ｂを押し上げる。この時点で、容器配置部材４２Ｂは、垂直案内部材４２Ｃによって安全な状態で上方向にスライドする。
【００９９】
第１の駆動部材４２Ｇのドライブにより上方向に移動する垂直配置部材４２Ｂは、両方の境界が容器支持リンク４４Ｂによって支持されている最初の使い捨て容器２０を押し上げる。
【０１００】
すなわち、麺および粉末状薬味が入った複数の使い捨て容器２０は積み重ねられている。容器配置部材４２Ｂが、最も下にある使い捨て容器２０の下部分を押し上げ、これによって使い捨て容器２０全体が上方向に移動する。
【０１０１】
この時点で、最も下にある使い捨て容器２０の両方の境界は、容器支持リンク４４Ｂの上面から約６ｍｍ隔置されている。
【０１０２】
これと同様に、第１の回転プレート４２Ｆの回転角度を感知する第１の作動感知部材９１は、容器配置部材４２Ｂの上昇を感知する。さらに、感知信号を受けるマイクロコンピュータ９６は、第１の駆動部材４２Ｇに供給される電力を遮断して、容器配置部材４２Ｂの上昇を停止させる。すなわち、第１の作動感知部材９１が第１の回転プレート４２Ｆの回転中に第１の回転プレート４２Ｆの設定角度を感知するならば、電力が遮断され、容器配置部材４２Ｂは上昇を停止する。
【０１０３】
その結果、マイクロコンピュータ９６は、第２の駆動部材４６Ｄに電力を供給して、第２の回転プレート４６Ｂを設定角度で回転する。従って、第２の接続棒４６Ａが往復リンク４４Ｄを第１のブラケット４４Ａに向かって押す。これにより、容器支持リンク４４Ｂおよび接続リンク４４Ｃが図５Ｃに示されように開放される。
【０１０４】
この時点で、容器支持リンク４４Ｂおよび接続リンク４４Ｃが開放されると、使い捨て容器２０全体は容器配置部材４２Ｂによって支持される。
【０１０５】
第２のプレート４６Ｂの回転、すなわちリンク作動部４４の開放が第２のプレート４６Ｂの回転を感知する第２の作動感知部材９２により感知され、そして、その感知信号がマイクロコンピュータ９６に転送されたならば、マイクロコンピュータ９６は第１の駆動部材４２Ｇに再び電力を供給するので、容器配置部材４２Ｂが下降する。容器配置部材４２Ｂが下降することは、積み重ねた使い捨て容器２０全体が下降することを意味する。
【０１０６】
第２の作動感知部材９２は、容器配置部材４２Ｂ下降の間、第２のプレート４６Ｂの回転角度を感知して、マイクロコンピュータ９６に信号を伝送する。信号を受けたマイクロコンピュータ９６は、容器配置部材４２Ｂを最初の上昇位置から約８ｍｍ下降させ、第２の回転プレート４６Ｂを設定角度に回転させる、それぞれを第１の駆動部材４２Ｇの制御により行う。
【０１０７】
容器配置部材４２Ｂが約８ｍｍ下降することにより、次の使い捨て容器２０が最初の使い捨て容器２０の最初の位置へと移動し、容器支持リンク４４Ｂに安全に装着される。したがって、最初の使い捨て容器２０は容器支持リンク４４Ｂから切り離される。
【０１０８】
第１の作動感知部材９１が容器配置部材４２Ｂの下降を感知すると、マイクロコンピュータ９６は感知信号を受けて、第１の駆動部材４６Ｄに電力を供給する。したがって、第１の駆動部材４６Ｄが設定角度に第２の回転プレート４６Ｂを回転させる。
【０１０９】
第２の回転プレート４６Ｂが回転すると、第２の棒４６Ａが往復リンク４４Ｄを押し、それによって開放した容器支持リンク４４Ｂが最初の状態に復帰する。
【０１１０】
回転角度および回転数を感知する第２の作動感知部材９２によって上記動作が感知されると、マイクロコンピュータ９６は、第１の駆動部材４２Ｇに電力を供給して、第１の回転プレート４２Ｆを回転させる。（実質的に、第１の回転プレート４２Ｆは第１の回転棒４２Ｅの駆動によって回転する。）これにより、容器配置部材４２Ｂが最初の状態に下降する。
【０１１１】
この動作により、容器配置部材４２Ｂが下降するならば、容器配置部材４２Ｂによって支持されている最初の使い捨て容器２０は、容器配置部材４２Ｂ上に安全に装着されている状態で下降する。しかしながら、次の使い捨て容器２０は、両方の境界を最初の状態に戻した容器支持リンク４４Ｂに安全に装着され、それによって支持される。
【０１１２】
一方、麺貯蔵部材３０から放出される最初の使い捨て容器２０は、下降する容器配置部材４２Ｂによって下方向に動く。そして、容器２０は、その両端を保持することによって最初の位置（Ａ）（使い捨て容器２０が容器支持部材７４上に安全に装着される位置）に移送された容器搬送部７０の容器支持部材７４によって支持される。さらに、容器配置部材４２Ｂは引き続き下降して最初の状態に復帰する。
【０１１３】
この一連の動作は、容器配置部材４２Ｂが容器支持部材７４および容器支持リンク４４Ｂを通過する間に上昇するので、可能である。
【０１１４】
容器配置部材４２Ｂは、容器支持部材７４および容器支持リンク４４Ｂを通過して、上昇する。その後、容器配置部材４２Ｂが最初の使い捨て容器２０を保持し、容器支持部材７４の下降中にそれを通過する。この時点で、使い捨て容器２０より小型になるよう形成された容器配置部材４２Ｂは容器支持部材７４を通過する。しかし、使い捨て容器２０の境界が、容器支持部材７４の両側の上面で保持され、これで安全に装着される。
【０１１５】
その結果、容器支持部材７４の両側の上面に設けられている容器配置感知センサ９８が、使い捨て容器２０の両方の境界が安全に装着されていることを感知するならば、マイクロコンピュータ９６は第３の駆動部材７６Ｅを作動させる。これにより、第３の回転プレート７６Ｃが設定角度で回転する。
【０１１６】
第３の回転プレート７６Ｃが回転すると、第３および第４の接続棒７６Ａおよび７６Ｂが作動し、リンク部材７２が加熱部材５０に向かって引っ張られる。
【０１１７】
リンク部材７２が加熱部材５０に向かって引っ張られると、これが下側のヒンジに対して回転して、上部分が円弧形状を描く。容器支持部材７４とリンク部材７２の上部分とは相互に旋回可能に接続される。麺および薬味を入れた使い捨て容器２０は安全に装着され、容器支持部材７４にはある程度の荷重が加えられる。したがって、容器支持部材７４は回転せずに水平姿勢を維持するが、移送リンク部材７２は加熱部材５０に向かって回転する。
【０１１８】
第３の駆動部材７６Ｅが第３の回転プレート７６Ｃを設定角度で回転させると、容器支持部材７４に安全に装着された使い捨て容器２０の底面は、加熱部材５０に安全に装着される。すなわち、使い捨て容器２０は加熱位置（Ｂ）（加熱部材５０の上面）に位置する。
【０１１９】
マイクロコンピュータ９６は、第３の駆動部材７６Ｅに供給されている電力を遮断し、容器支持部材７４を連続的に回転させる。
【０１２０】
第３の作動感知部材９３が上記動作を感知すると、マイクロコンピュータ９６は設定時間だけ湯供給部６０の第２の弁６６を開放するので、所定量の湯が使い捨て容器２０に供給される。
【０１２１】
この時点で、水位センサ６３により感知されている湯の水位が所定値より低い値の場合、マイクロコンピュータ９６は第１の弁６１を開放する。そこで、貯蔵タンク６２内の水が加熱タンク６７に供給される。
【０１２２】
その結果、マイクロコンピュータ９６は設定時間だけ加熱部材５０に電力を供給するので、加熱部材５０が使い捨て容器２０を加熱して麺を調理する。
【０１２３】
図示されていないタイマが設定時間の終了を感知すると、マイクロコンピュータ９６は、加熱部材５０に供給されている電力を遮断し、第３の駆動部材７６Ｅに電力を供給するので、第３の回転プレート７６Ｃが駆動される。
【０１２４】
第３の回転プレート７６Ｃが駆動されると、リンク部材７２は反対方向に回転する。それにより、容器支持部材７４に安全に装着されている使い捨て容器２０は容器放出部材８４の上面に安全に装着される。すなわち、使い捨て容器２０が放出位置（Ｃ）（容器放出部材８４の上面）に配置される。
【０１２５】
この時点で、第３の回転プレート７６Ｃが回転するので、リンク部材７２は、使い捨て容器２０が容器放出部材８４の上面に安全に装着された状態で、さらに動かされる。
【０１２６】
容器支持部材７４は、容器放出部材８４の上面に向かってさらに動くので、使い捨て容器２０の両境界の底面に形成された位置決め突起が位置決め穴から切り離される。それにより、使い捨て容器２０は容器支持部材７４から容易に切り離される。
【０１２７】
使い捨て容器２０を容器放出部材８４の上面に安全に装着されると、これが放出位置センサ９４により感知される。また、感知信号を受信したマイクロコンピュータ９６は第４の駆動部材８８を作動させる。
【０１２８】
第４の回転プレート８６が第４の駆動部材８８の動作によって駆動されると、これは第５の接続棒８６Ａを押し、容器放出部材８４をドア１３の放出穴１１に向かって移動させる。
【０１２９】
この時点で、容器支持部材７４の前部分が開放しているので、使い捨て容器２０は、それが容器支持部材７４上に配置された状態で、容器放出部材８４が放出穴１１へと移動しても、使い捨て容器２０が容器支持部材７４に干渉されず、容器支持部材７４から切り離されている。
【０１３０】
第４の回転プレート８６の駆動によって放出穴１１に向かって移動する容器放出部材８４は、放出穴１１を外側で遮蔽する放出ドア１２を押して、放出穴１１を開放する。容器放出部材８４は、放出穴１１に向かって移動して、放出ドア１２を全開する。この時点で、ドア１３の外側が露出すると、消費者が調理済み麺の入った使い捨て容器２０を取り出す。
【０１３１】
この時点では、マイクロコンピュータ９６は、容器放出部材８４が放出穴１１の外側に十分露出している状態で第４の駆動部材８８の作動を停止させるので、容器放出部材８４はまだドア１３の外側に露出している。
【０１３２】
一方、容器放出部材８４上に安全に装着されている使い捨て容器２０を取り出すと、この行動を放出位置センサ９４が感知する。そして、センサ９４は感知信号をマイクロコンピュータ９６に伝送する。信号を受けたマイクロコンピュータ９６は、第４の駆動部材８８に電力を供給する。そして、第４の駆動部材８８は第４の回転プレート８６を駆動するので、容器放出部材８４はドア１３の中に運動し、最終的に最初の状態に復帰する。
【０１３３】
この時点で、容器放出部材８４が本体１０へと移動すると、放出ドア１２がバネの弾性によって復帰し、放出穴１１を遮蔽する。
【０１３４】
上述したように、調理済み麺が入った使い捨て容器２０が放出部材８４の上面から取り出されると、この行動を容器位置センサ９４が感知する。さらに、この感知信号を受けたマイクロコンピュータ９６は第４の駆動部材８８を作動して第４の回転プレート８６を駆動するので、容器放出部材８４は最初の状態に復帰する。
【０１３５】
容器放出部材８４は使い捨て容器２０を放出した後に復帰する。この時点で、本発明による自動販売機の全ての要素は、硬貨が硬貨装置に挿入され、命令が入力され、麺が調理されて販売され、そして最後に次の命令を受けるよう待機するという状態にある。
【０１３６】
一方、本発明の好ましい実施形態による麺用自動販売機は、さらに、使い捨て容器２０を引き出す時に自動的に箸を供給することができる箸投込み装置１００を含む。
【０１３７】
箸投込み装置１００は、第７のブラケット１１０、箸受け部材１２０、切断部材１３０、箸支持部材１４０、第６の接続棒１５０、第５の駆動部材１６０、および放出部材１７０を含む。
【０１３８】
第７のブラケット１１０はドア１３の内側に設置され、自身上に放出穴１３Ａを形成する。
【０１３９】
箸受け部材１２０は第７のブラケット１１０に垂直に設置されるので、開放されたその下部分が放出穴１３Ａに対して配置される。また、箸受け部材１２０は、それぞれその下部分の両側を貫通して形成された切取り穴１２２を有し、接続した包み紙で包装された箸１３Ｄを受け取る。
【０１４０】
切断部材１３０は、作動穴１３２内で相互に対向するように形成された切刃１３４を有し、第７のブラケット１１０上に設けられる。従って、それは案内ローラ１３５によって箸１３Ｄに対して直角に運動する。
【０１４１】
箸支持部材１４０は、所定のギャップがある状態で切断部材１３０の底面の両側に設けられるので、放出穴１３Ａの下にあって下降している箸１３Ｄを支持する。
【０１４２】
第６の接続棒１５０は、一方端が切断部材１３０の一方側にヒンジで接続される。
【０１４３】
第５の駆動部材１６０は、制御部９０によって制御され、切断部材１３０が往復運動するように設定角度で第５の回転プレート１６２を回転させる。
【０１４４】
また、放出部材１７０は傾斜面１７２を有し、第７のブラケット１１０の底面に設けられる。したがって、第７のブラケット１１０の放出穴１３Ａから放出される箸１３Ｄは、ドア１３を貫通して形成された箸引き出し部１３Ｎを通して放出される。
【０１４５】
箸受け部材１２０で受けられる箸１３Ｄは、包み紙の接続部分がジグザグ・タイプに配置されるよう積み重ねられる。この時点で、接続部分全体が一部を除いて切断される。
【０１４６】
切断部材１３０には、箸受け部材１２０を挿入できるように、その中間に作動穴１３２が形成される。切り刃１３４は作動穴１３２の両方の内側で突出するように形成される。さらに、切断部材１３０は、複数の案内ローラ１３５によって箸受け部材１２０の長手方向に対して直角に往復運動するように、第７のブラケット１１０上に設置される。
【０１４７】
一方、箸支持部材１４０は、最も下の部分に位置する箸１３Ｄを支持するように、放出穴１３Ａの下部分に配置される。図１０に示すように、箸支持部材１４０は、その両側がそれぞれ下方向に傾斜し、その両端が箸１３Ｄを受ける方向と同じであるように設置される。したがって、箸支持部材１４０は切断部材１３０とともに運動する。
【０１４８】
箸支持部材１４０の両端は、第７のブラケット１１０の両側から偏向して、ボルトなどによって切断部材１３０に接続される。さもなければ、第７のブラケット１１０の両側に穴が形成され、箸支持部材１４０は、その穴を通して切断部材１３０に設置される。そして、箸支持部材１４０は切断部材１３０とともに往復運動する。
【０１４９】
第５の駆動部材１６０は、第７のブラケット１１０の一方側の底面に設置されその上面に設けられた第５の回転プレート１６２を駆動する。第６の接続棒１５０は、第５の回転プレート１６２に旋回可能に設けられた一方端と、切断部材１３０に旋回可能に設けられる他方端とを有する。したがって、第５の回転プレート１６２が回転すると、第６の接続棒が動作し、そこで、切断部材１３０が往復運動する。
【０１５０】
この時点で、第５の回転プレート１６２の回転角度を感知する第５の作動感知部材は第７のブラケット１１０上に設けられ、第５の駆動部材１６０がマイクロコンピュータ９６によって制御される。
【０１５１】
上記構造を有する箸投込み装置１００は、以下のように作動する。
【０１５２】
図１０Ａおよび図１０Ｂに示されるように、箸投込み装置１００はマイクロコンピュータ９６によって制御される。すなわち、容器放出部材８４が放出ドア１２に向かって移動する前後に、箸投込み装置１００が作動することが好ましい。
【０１５３】
以下に、箸投込み装置１００の作動プロセスについて説明する。
【０１５４】
最初に、マイクロコンピュータ９６が作動信号を生成して、第５の駆動部材１６０に電力が供給されると、第５の駆動部材１６０が作動して回転プレート１６２を駆動する。これにより、第６の接続棒１５０が切断部材１３０を押す。
【０１５５】
これと同様に、切断部材１３０は、第６の接続棒１５０により押されると、第５の回転プレート１６２の反対方向に動く。これにより、第５の回転プレート１６２の切り刃１３４は、切断穴１３２に挿入され、箸１３Ｄの包み紙の接続部分を切断する。この時点で、図１０に示されるように、箸支持部材１４０が最も下にある箸１３Ｄの下部分を支持し、この部分が切断され、それによって包み紙の接続部分が「くの字」型になる。この型の切断部分は、切り刃１３４が他方側の切断穴の中に挿入されている間に切断され、それによって最初の箸１３Ｄと次の箸とが分離される。
【０１５６】
上記のように分離された最初の箸は、放出穴１３Ａを通して落下する。その後、その箸は、放出部材１７０の傾斜面１７２へと案内され、ドア１３の箸投込み部１３Ｎへと放出される。
【０１５７】
この時点で、マイクロコンピュータ９６は、第５の駆動部材１６９に供給されている電力を遮断し、第５の回転プレート１６２の回転を停止させる。さらに、マイクロコンピュータ９６は、放出信号を受けると、第５の駆動部材１６０に電力を供給するので、第５の回転プレート１６２が回転し、それにより切断部材１３０が動く。
【０１５８】
切断部材１３０が最初の動き方向とは反対方向に動くと、他方側の切り刃１３４が切断穴に挿入され、次の箸１３Ｄとその次の箸１３Ｄとの間の接続部分を切断する。それによって、包み紙で接続された箸が分離され、その箸を放出することができる。
【０１５９】
すなわち、ジグザグ・タイプで相互に接続した各箸１３Ｄが、切断部材１３０によって順序正しく分離され、放出される。
【０１６０】
一方、図１１で示されるような別の好ましい実施形態による箸投込み装置２００は、第８のブラケット２１０、箸保管部材２２０および第６の駆動部材２３０を含む。
【０１６１】
第８のブラケット２１０はドア１２の内側に設置される。
【０１６２】
箸保管部材２２０は第８のブラケット２１０に固定状態で設置され、移動穴２２２がその両下側に形成される。そこで、移動穴２２２はドア１３上に形成された箸投込み部１３Ｎに対して配置される。
【０１６３】
第６の駆動部材２３０は、第８のブラケット２１０の一方側に設けられて、移動穴２２２に挿入されている放出棒２３２を往復運動させる。さらに、第６の駆動部材２３０は、箸保管部材２２０上に積み重ねられた箸１３Ｄを押し、箸１３Ｄを取り出し部１３Ｎへと移動させる。
【０１６４】
移動穴２２２は、保管された箸１３Ｄが一つずつ放出されるように、箸１３Ｄの厚さよりわずかに大きいサイズを有するよう形成されことが好ましい。
【０１６５】
第６の駆動部材は、この実施形態ではソレノイドであるが、これに限定されることなく、エア・シリンダ、モータなどでもよい。
【０１６６】
図１１を参照して、この実施形態による箸投込み装置２００の作動プロセスを説明する。
【０１６７】
図１１に示されるように、制御部９０のマイクロコンピュータ９６は、箸を投げ込むための信号を生成する。第６の駆動部材２３０は作動棒を引っ張る（作動棒は箸保管部材に向かって運動する）。これにより、放出棒２３２は移動穴２２２に挿入される。
【０１６８】
放出棒２３２を移動穴２２２に挿入すると、最も下の箸１３Ｄが放出棒２３２によって取出し部１３Ｎへと押しやられ、次にその一部がドア１３の外側に露出する。
【０１６９】
その結果、放出棒２３２を運動させる作動棒が、バネの弾性によって最初の状態に復帰し、次に放出棒２３２を最初の位置へと移動させる。
【０１７０】
これと同様に、最初の箸１３Ｄの一部がドア１３の外側に露出すると、箸１３Ｄが取り出される。
【０１７１】
このプロセスと同様に、箸１３Ｄが放出された後、次の箸１３Ｄが箸保管部材２２０の下部分へと移動し、次の動作のために待機する。
【０１７２】
箸１３Ｄは、麺の各容器に続いて一つずつ放出されるので、快適に使用することができる。さらに、箸が放っておかれる場合と比較すると、これは箸の消費量を大幅に節約することができる。
【０１７３】
本発明は、上記実施形態による箸投込み装置に制限されず、箸を一つずつ放出できるか否かで十分である。
【０１７４】
本発明の麺用自動販売機によると、麺は使い捨て容器内で調理され、使い捨て容器自体が消費者へと直接移送される。したがって、麺を衛生的に調理することができる。
【０１７５】
さらに、麺の容器を重ねるための麺保持、薬味を入れるための薬味保持、および容器保持などのためのダイス型が必要ではないので、自動販売機の構造を単純にすることができる。また、これにより自動販売機は、体積が大幅に減少し、軽量かつ小型にもすることができる。
【０１７６】
さらに、麺を調理する加熱手段として電子加熱装置を使用するので、麺を安全に調理することができる。
【０１７７】
さらに、自動販売機に箸投込み装置を設けるので、快適に使用することができ、自動販売機を取り扱うマネージャの数を削減することができる。
【０１７８】
本発明をその特定の実施形態に関して特に図示し、説明してきたが、当業者であれば、請求の範囲で定義されている通りの本発明の精神および範囲から逸脱することなく、形態および詳細に種々の変更が生み出されることを理解できるであろう。
【図面の簡単な説明】
【０１７９】
【図１】本発明の好ましい実施の一形態による麺用自動販売機を示す分解斜視図である。
【図２】図１の麺用自動販売機の組み立てた状態を示す斜視図である。
【図３】図１の麺用自動販売機の組み立てた状態を示す前面図である。
【図４】図１の麺用自動販売機の組み立てた状態を示す部分側面図である。
【図５Ａ】図２の容器支持部の動作状態を示す平面図である。
【図５Ｂ】図２の容器支持部の動作状態を示す側面図である。
【図５Ｃ】図１の容器支持部の体系的動作のうち、最初の動作状態を示す概略説明図である。
【図５Ｄ】図１の容器支持部の図５Ｃに続く動作状態を示す概略説明図である。
【図５Ｅ】図１の容器支持部の図５Ｄに続く動作状態をに示す概略説明図である。
【図６Ａ】図１の容器搬送部の動作状態を示す平面図である。
【図６Ｂ】図１の容器搬送部の動作状態を示す側面図である。
【図７Ａ】図１の容器放出部の動作状態を示す平面図である。
【図７Ｂ】図１の容器放出部の動作状態を示す側面図である。
【図８】本発明の好ましい実施の一形態による湯供給部を示す概略図である。
【図９Ａ】本発明の好ましい実施の一形態による別の垂直案内部材を示す側面図である。
【図９Ｂ】本発明の好ましい実施の一形態による別の第１の水平案内部材を示す側面図である。
【図９Ｃ】本発明の好ましい実施の一形態による別の第２の水平案内部材を示す側面図である。
【図１０Ａ】本発明の好ましい実施の一形態による箸放出部の拡大部分側面説明図である。
【図１０Ｂ】図１０Ａの底部の詳細を示す平面説明図である。
【図１１】本発明の好ましい実施の一形態による別の箸放出部の断面図である。
【図１２】本発明の好ましい実施の一形態による制御部を示す概略ブロック図である。
【図１】
2005530248.tif 000003
【図２】
2005530248.tif 000004
【図３】
2005530248.tif 000005
【図４】
2005530248.tif 000006
2005530248.tif 000007
2005530248.tif 000008
2005530248.tif 000009
2005530248.tif 000010
2005530248.tif 000011
2005530248.tif 000012
2005530248.tif 000013
【図８】
2005530248.tif 000014
2005530248.tif 000015
2005530248.tif 000016
2005530248.tif 000017
2005530248.tif 000018
2005530248.tif 000019
【図１１】
2005530248.tif 000020
【図１２】
2005530248.tif 000021
【国際調査報告】
2005530248.tif 000022